(57)【要約】【課題】流体噴出口から噴出される流体の流勢を維持しつつ、大型化された対物レンズの表面全体に流体を行き渡らせて良好な内視鏡観察を行える内視鏡用レンズ洗浄シースを提供する。【解決手段】洗浄シース１０は、被検体に挿入される内視鏡１の挿入部２を被覆するマルチルーメンチューブ２０の先端部分に固設されていて挿入部２の観察窓７ａを有する先端部７が配置される先端構成部３０と、先端構成部３０に設けられている観察窓７ａの表面の第１領域Ａ１を予め定めた方向に向かって流体が流れるように該流体の噴出方向を規定した流体噴出口７１と、流体噴出口７１から予め定めた方向に向かって噴出された流体が衝突することによって、流体が観察窓７ａの表面の第２領域Ａ２に向かって流れるように流れ方向を偏向させる偏向面８２を有する壁部８０と、を具備している。【選択図】図７Ａ
2018094016.tif 000002
【特許請求の範囲】
【請求項１】
被検体に挿入される挿入部の先端部に配設された観察窓と、
前記観察窓の表面の一部である予め定めた領域を予め定めた流勢で予め定めた方向に向かって流体を噴出するように前記先端部に位置決めされた流体噴出口を備えるノズルと、
前記ノズルの流体噴出口から予め定めた方向に向かって噴出された前記流体が衝突することによって、該流体が前記観察窓の表面の前記予め定めた領域とは異なる他の領域に向かって流れるように流れの方向を偏向させるように前記先端部に位置決めされた内壁面を有する壁部と、
を具備することを特徴とする内視鏡。
【請求項２】
前記先端部は、
前記観察窓が固設される先端部本体と、
前記先端部本体に装着される内視鏡フードと、を具備し、
前記流体噴出口は、前記内視鏡フードに設けられている
ことを特徴とする請求項１に記載の内視鏡。
【請求項３】
前記壁部の内壁面には、前記流体噴出口、および、前記流体噴出口から噴出された流体が衝突する偏向面を備え、
前記偏向面が前記流体噴出口から噴出された流体の噴出方向に対して角度９０度以上で交差していることを特徴とする請求項１に記載の内視鏡。
【請求項４】
前記壁部の内壁面の少なくとも一部に中心軸方向に予め定めた量突出する凸部を設けたことを特徴とする請求項１に記載の内視鏡。
【請求項５】
前記壁部は、前記観察窓が配設された先端部の先端面の前方側に設けられ、
前記凸部は、前記内壁面の先端面側に形成されている
ことを特徴とする請求項４に記載の内視鏡。
【請求項６】
前記凸部は、該凸部の一部に斜面を備えることを特徴とする請求項５に記載の内視鏡。
【請求項７】
前記凸部は、前記壁部の内周面に螺旋状に形成されていることを特徴とする請求項６に記載の内視鏡。
【請求項８】
被検体に挿入される内視鏡の挿入部を被覆するチューブ体の先端部分に固設されていて該挿入部の観察窓を有する先端部が配置される先端構成部と、
前記先端構成部に設けられている、前記観察窓の表面の一部である予め定めた領域を予め定めた方向に向かって流体が流れるように、該流体の噴出方向を規定した流体噴出口と、
前記流体噴出口から予め定めた方向に向かって噴出された前記流体が衝突することによって、該流体が前記観察窓の表面の前記予め定めた領域とは異なる他の領域に向かって流れるように流れ方向を偏向させる偏向面を有する壁部と、
を具備することを特徴とする内視鏡用レンズ洗浄シース。
【請求項９】
前記流体噴出口、および、前記流体噴出口から噴出された流体が衝突する偏向面は、前記壁部の内壁面に設けられており、
前記偏向面は、前記流体噴出口から噴出される前記流体の噴出方向に交差する面であって、該偏向面は前記噴出方向に対して交差角度が９０度以上である
ことを特徴とする請求項８に記載の内視鏡用レンズ洗浄シース。
【請求項１０】
前記壁部の内壁面の一部は、前記偏向面で流れ方向が偏向された流体を予め定めた方向に案内する該偏向面を兼用することを特徴とする請求項９に記載の内視鏡用レンズ洗浄シース。
【請求項１１】
前記壁部の内壁面の少なくとも一部に中心軸方向に予め定めた量突出する凸部を設けたことを特徴とする請求項９に記載の内視鏡用レンズ洗浄シース。
【請求項１２】
前記壁部は、前記観察窓が配設された先端部の先端面の前方側を全周に渡って囲む内壁面を有し、
前記凸部は、前記内壁面の先端から基端の間に形成されている
ことを特徴とする請求項１１に記載の内視鏡用レンズ洗浄シース。
【請求項１３】
前記凸部は、該凸部の一部に斜面を備えることを特徴とする請求項１２に記載の内視鏡用レンズ洗浄シース。
【請求項１４】
前記凸部は、前記壁部の内壁面に形成された螺旋溝あることを特徴とする請求項１２に記載の内視鏡用レンズ洗浄シース。
【発明の詳細な説明】
【技術分野】
【０００１】
本発明は、挿入部先端部に位置する開口部から噴出させた流体で該挿入部先端部に設けられた観察窓等を洗浄する内視鏡および挿入部先端部に取り付けられて該観察窓等を洗浄する内視鏡用レンズ洗浄シースに関する。
【背景技術】
【０００２】
内視鏡の挿入部の先端部には観察窓、照明窓等が設けられている。観察レンズの外表面、あるいは、照明レンズの外表面に汚れ等が付着することによって良好な観察が困難になる。この不具合を解消するため、先端部に洗浄ノズルを設けて、あるいは、先端部に内視鏡用レンズ洗浄シースを取り付けてレンズの外表面の汚れ等を除去するようにしている。
【０００３】
例えば、特許文献１には、内視鏡の観察窓の外表面に流体を供給して洗浄するための内視鏡用洗浄ノズルが示されている。この内視鏡用洗浄ノズルは、十分な剛性を備えると共に、水切れが良く確実に観察窓の洗浄を行える。
【０００４】
特許文献２には、内視鏡の先端部本体に設けられた観察窓に付着した汚物等を洗浄する流体噴出ノズルを備えた内視鏡、先端キャップ付内視鏡、および、内視鏡用洗浄シースが示されている。流体噴出ノズルは、気体と液体とを合流して噴霧状の気液混合流体とし、この混合流体を噴出口から観察窓に向けて噴出して観察窓に付着している汚物を効率的に洗浄する。
【０００５】
近年、内視鏡の対物光学系の対物レンズは、高画質化、あるいは、３Ｄ化に伴って大型化されている。そして、対物レンズが大型になると、上述した内視鏡用洗浄ノズル、あるいは、流体噴出ノズルから噴出される流体を対物レンズの表面全体に行き渡らせることが難しくなる。このため、ノズルの流体噴出口の形状を調整してノズルの洗浄範囲を広域にすることが考えられる。  
【先行技術文献】
【特許文献】
【０００６】
【特許文献１】特開２０１２−９０８８４号公報
【特許文献２】特許第５１６４６４４号公報
【発明の概要】
【発明が解決しようとする課題】
【０００７】
しかしながら、前述したように洗浄範囲を広域にした場合、洗浄範囲を広域にするにしたがって、ノズルの流体噴出口から噴出される流体の流勢が徐々に減衰されていく。そして、流勢の減衰に伴って、レンズ表面に付着した汚物等を除去する洗浄力が低下して良好な内視鏡観察が困難になる。
【０００８】
本発明は上記事情に鑑みてなされたものであり、流体噴出口から噴出される流体の流勢を維持しつつ、大型化された対物レンズの表面全体に流体を行き渡らせて良好な内視鏡観察を行える内視鏡および内視鏡用レンズ洗浄シースを提供することを目的にしている。
【課題を解決するための手段】
【０００９】
本発明の一態様の内視鏡は、被検体に挿入される挿入部の先端部に配設された観察窓と、前記観察窓の表面の一部である予め定めた領域を予め定めた流勢で予め定めた方向に向かって流体を噴出するように前記先端部に位置決めされた流体噴出口を備えるノズルと、前記ノズルの流体噴出口から予め定めた方向に向かって噴出された前記流体が衝突することによって、該流体が前記観察窓の表面の前記予め定めた領域とは異なる他の領域に向かって流れるように流れの方向を偏向させるように前記先端部に位置決めされた壁部と、  を具備している。
【００１０】
本発明の一態様の内視鏡用レンズ洗浄シースは、被検体に挿入される内視鏡の挿入部を被覆するチューブ体の先端部分に固設されていて該挿入部の観察窓を有する先端部が配置される先端構成部と、前記先端構成部に設けられている観察窓の表面の一部である予め定めた領域を予め定めた方向に向かって流体が流れるように該流体の噴出方向を規定した流体噴出口と、前記流体噴出口から予め定めた方向に向かって噴出された前記流体が衝突することによって、該流体が前記観察窓の表面の前記予め定めた領域とは異なる他の領域に向かって流れるように流れ方向を偏向させる偏向面を有する壁部と、を具備している。
【発明の効果】
【００１１】
本発明によれば、流体噴出口から噴出される流体の流勢を維持しつつ、大型化された対物レンズの表面全体に流体を行き渡らせて良好な内視鏡観察を行える内視鏡および内視鏡用レンズ洗浄シースを実現できる。
【図面の簡単な説明】
【００１２】
【図１】内視鏡と内視鏡の挿入部に装着される内視鏡用レンズ洗浄シースとを説明する図
【図２】図１の矢印Ｙ２−Ｙ２線断面図であって、マルチルーメンチューブに設けられた貫通孔を説明する図
【図３Ａ】マルチルーメンチューブに固設される先端構成部を説明する図
【図３Ｂ】図３Ａの先端構成部を正面から見た図
【図３Ｃ】図３Ｂの矢印Ｙ３Ｃ−Ｙ３Ｃ線断面図
【図３Ｄ】図３Ａの先端構成部を背面から見た図
【図４Ａ】マルチルーメンチューブが先端構成部に固設された状態を説明する図
【図４Ｂ】流体噴出ノズルおよび偏向面の構成及び作用を説明する図
【図５Ａ】挿入部の先端部が先端構成部内に配置された状態を説明する図
【図５Ｂ】図５Ａの正面図であって、流体噴出方向と第１領域とを説明する図
【図６Ａ】流体噴出口から噴出されて偏向面に向かう気液混合流体の流れを説明する図
【図６Ｂ】偏向面で偏向された気液混合流体の流れを説明する図
【図６Ｃ】偏向面で偏向されて壁面に到達した後の気液混合流体の流れを説明する図
【図６Ｄ】流体噴出口から噴出されている気液混合流体およびにこの気液混合流体に衝突した後の気液混合流体の流れを説明する図
【図７Ａ】流体噴出口から噴出された後に壁部の凹部内を渦を巻いて流れる気液混合流体の一例を示す図
【図７Ｂ】流体噴出口から噴出された後に壁部の凹部内を渦を巻いて流れる気液混合流体の他の例を示す図
【図８Ａ】気液混合流体が壁を乗り越えて外部に流出する不具合を説明する図
【図８Ｂ】気液混合流体が壁を乗り越えることを防止する凸部を説明する図
【図８Ｃ】気液混合流体が壁を乗り越えることを防止する凸部の他の構成を説明する図
【図８Ｄ】気液混合流体が壁を乗り越えることを防止する凸部の別の構成例を説明する図
【図８Ｅ】斜面を有する凸部を説明する図
【図８Ｆ】他の構成の斜面を有する凸部を説明する図
【図８Ｇ】別の構成の斜面を有する凸部を説明する図
【図８Ｈ】図８Ｂの凸部の変形例を説明する図
【図８Ｉ】凸部のまた他の構成を説明する図
【図８Ｊ】図８Ｄの凸部の変形例を説明する図
【図８Ｋ】気液混合流体が壁を乗り越えることを防止する螺旋溝を説明する図
【図８Ｌ】気液混合流体が壁を乗り越えることを防止する凸部と螺旋溝とを説明する図
【発明を実施するための形態】
【００１３】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。即ち、本発明は、これらの図に記載された構成要素の数量、構成要素の形状、構成要素の大きさの比率、及び各構成要素の相対的な位置関係のみに限定されるものではない。
【００１４】
図１を参照して内視鏡１と、内視鏡用レンズ洗浄シース（以下、洗浄シースと略記する）１０と、を説明する。  
まず、内視鏡１を説明する。
【００１５】
図１に示す本実施形態の内視鏡１は、例えば湾曲部を有する硬性鏡である。内視鏡１は、長手軸ａ２に沿って細長な挿入部２と、挿入部２の基端側に設けられた操作部３と、を主に備えている。符号４は、ユニバーサルコード４であって、操作部３の基端側から延出している。ユニバーサルコード４の端部にはコネクタ（不図示）が設けられている。
【００１６】
ユニバーサルコード４は、コネクタを介して外部装置である観察制御ユニット５に接続される。観察制御ユニット５は、例えば画像プロセッサ等の画像処理部（不図示）と、照明光を供給する光源部（不図示）と、を備えている。符号６は表示装置である。
【００１７】
挿入部２は、先端側から順に硬質な先端部７、湾曲部８、硬質な管部９、を有している。湾曲部８は、先端部７と管部９との間に設けられ、例えば挿入部２の長手軸ａ２に対して垂直な二方向に湾曲する構成になっている。  
なお、湾曲部８は、二方向に湾曲する構成に限定されるものでは無く、長手軸ａ２に対して垂直な四方向に湾曲する構成であってもよい。
【００１８】
先端部７の先端面７ｆには、例えば１つの観察窓である観察窓７ａ及び照明窓である２つの照明レンズ７ｂ、７ｃが設けられている。先端部７を構成する先端硬質部（不図示）の内部には、ＣＣＤ等の撮像素子（図示しない）等を備えた撮像装置、照明レンズ７ｂ、７ｃに先端面が臨むように配置された２つのライトガイド（不図示）等が設けられている。撮像装置からは撮像ケーブル（不図示）が延出している。
【００１９】
撮像ケーブルおよび２つのライトガイドは、挿入部２の内部、操作部３の内部、及び、ユニバーサルコード４の内部に配置されている。撮像ケーブルの端部およびライトガイドの端部は、コネクタ内に配設されている。
【００２０】
コネクタを観察制御ユニット５に接続することによって、撮像装置と画像処理部とが電気的に接続されるとともに、光源部から出射される照明光がライトガイドに導光される。導光された照明光は、照明レンズ７ｂ、７ｃを通過して被写体を照射する。
【００２１】
照明光によって照らされた被写体の光学像は、観察窓７ａを通過して撮像装置の撮像素子に結像する。そして、撮像装置で変換された電気信号が撮像ケーブルを介して画像処理部に伝送される。伝送された電気信号は、画像処理部において画像信号に生成されて表示装置６に出力される。この結果、表示装置６の画面上には被写体の内視鏡画像が表示される。
【００２２】
操作部３には、湾曲操作装置として湾曲操作レバー３ａが設けられている。湾曲部８は、湾曲操作レバー３ａの操作に伴って湾曲する。符号３ｂ、３ｃ、３ｄは、各種スイッチであって、例えばフリーズ信号を発生させるフリーズスイッチ、写真撮影を行う際のレリーズ信号を発生させるレリーズスイッチ、観察モードの切替指示を行う観察モード切替スイッチ等である。
【００２３】
次に、洗浄シース１０を説明する。  
図１に示す洗浄シース１０は、チューブ体であるマルチルーメンチューブ２０を備えている。マルチルーメンチューブ２０は、洗浄シース本体であって、シリコーン（silicone）、ウレタン（urethane）等、柔軟な材料で形成されて可撓性を有している。
【００２４】
マルチルーメンチューブ２０の先端部分には筒状体である先端構成部３０が固設されており、基端部分には内視鏡取付部４０が固設されている。そして、洗浄シース１０内には二点鎖線に示すように内視鏡取付部４０の基端側から内視鏡１の挿入部２が挿入されるようになっている。  
なお、マルチルーメンチューブ２０を挿入部２に被覆させた状態において、挿入部２の湾曲部８は、湾曲自在である。
【００２５】
図２に示すようにマルチルーメンチューブ２０には、予め定めた径寸法の内視鏡挿入部用孔２１、送気用孔２２、送水用孔２３が備えられている。内視鏡挿入部用孔２１、送気用孔２２、送水用孔２３は、マルチルーメンチューブ２０の中心軸ａ２０に沿って設けられた長手方向貫通孔である。したがって、両端面にはそれぞれ各孔の開口が形成されている。
【００２６】
内視鏡挿入部用孔２１は、内視鏡１の挿入部２が挿通される孔である。したがって、内視鏡挿入部用孔２１の径は、挿入部２より大きく設定されている。内視鏡挿入部用孔２１の中心軸ａ２１は、マルチルーメンチューブ２０の中心軸ａ２０に対して芯ずれして設けられている。このため、マルチルーメンチューブ２０は、周方向の厚みが一定では無く、薄肉部２４と厚肉部２５とを備えている。そして、厚肉部２５の予め定めた位置に、送気用孔２２と送水用孔２３とが設けられている。
【００２７】
送気用孔２２は、流体である例えば空気を供給するための送気管路として機能する。これに対して、送水用孔２３は、流体である例えば水を供給するための送水管路として機能する。マルチルーメンチューブ２０の先端面（図３Ｃの符号２６）には送気用孔２２の先端開口である送気口（図４Ｂの符号２２ｍ）と送水用孔２３の先端開口である送水口（図４Ｂの符号２３ｍ）とが設けられている。
【００２８】
図１に示す内視鏡取付部４０は、マルチルーメンチューブ２０より硬質な材料で形成され、可撓性は有していない。内視鏡取付部４０の先端面４１にはマルチルーメンチューブ２０が連結される連結穴４１ｈ（不図示）、制御弁操作ボタン４２が設けられ、基端面４３には挿入部導入口（不図示）が設けられている。制御弁操作ボタン４２は、「全押し」、「半押し」が可能であり、例えば全押しすることによって後述する流体噴出口から噴霧状の気液混合流体が噴出され、半押しすることによって流体噴出口から空気が噴出されるようになっている。
【００２９】
また、内視鏡取付部４０の予め定めた位置には、送気チューブ４４の一端が接続される送気チューブ接続口（不図示）、および、送水チューブ４５の一端が接続される送水チューブ接続口（不図示）が設けられている。加えて、内視鏡取付部４０には、送気チューブ接続口に通じる送気路、および、送水チューブ接続口に通じる送水路が設けられている。
【００３０】
そして、連結穴４１ｈの図示されていない底面には、連結穴４１ｈに固設されたマルチルーメンチューブ２０の内視鏡挿入部用孔２１に通じる挿入部用孔の開口が形成され、送気用孔２２に通じる送気路の開口が形成され、送水用孔２３に通じる送水路の開口が形成されている。
【００３１】
なお、送気チューブ４４の他端は、送気ユニット５０に接続され、送水チューブ４５の他端は送水ユニット６０に接続される。送気ユニット５０は、送気ポンプ５１と圧力調整弁５２とを備える。送水ユニット６０は、送水ポンプ６１と送水タンク６２とを備える。送気ポンプ５１、送水ポンプ６１が駆動されることによって、流体である空気が送気チューブ４４、送気路を介して送気用孔２２内に供給され、流体である水が送水チューブ４５、送水路を介して送水用孔２３内に供給されるようになっている。
【００３２】
図３Ａ−図３Ｄを参照して先端構成部３０を説明する。  
図３Ａに示すように先端構成部３０は、マルチルーメンチューブ２０の先端部に設けられている。
【００３３】
図３Ｂ、図３Ｃに示すように先端構成部３０には段付き貫通孔（以下、段付き孔と記載）３１が設けられている。段付き孔３１は、大径孔部３２と、小径孔部３３と、を有している。大径孔部３２は、先端構成部３０の基端側に設けられ、小径孔３３部は先端構成部３０の先端側に設けられている。符号３４は段差面である。
【００３４】
大径孔部３２は、マルチルーメンチューブ配設部であって、マルチルーメンチューブ２０の先端部が配設される。大径孔部３２の中心軸ａ３２は、先端構成部中心軸ａ３０上、つまり、同軸である。小径孔部３３は、挿入部配設部であって、挿入部２の先端部７が配設される。
【００３５】
挿入部２の先端部７の先端面７ｆは、先端構成部３０の先端面３０ａと段差面３４との中途に位置するように小径孔部３３内に配設されるようになっている。先端部７の先端面７ｆが小径孔部３３の中途に位置することによって、先端部７の先端面７ｆより前方側には先端構成部３０の先端側によって構成される壁部８０が出現する。
【００３６】
壁部８０は、先端部７の先端面７ｆの前方側を全周にわたって囲む内壁面８１を有しており、その内壁面８１の予め定めた位置には流体噴出口７１および偏向面８２が設けられている。符号７２は混合流体噴出路、符号７３は気液混合路、符号７４は流体案内溝である。符号Ｓは洗浄空間であって、洗浄空間Ｓは、先端面７ｆと内壁面８１とで構成される。
【００３７】
小径孔部３３の中心軸ａ３３は、先端構成部中心軸ａ３０に対して平行であって、予め定めた方向に位置ずれしている。気液混合路７３の中心軸である混合路中心軸ａ７３は、孔中心軸ａ３３に沿って設けられている。混合流体噴出路７２の中心軸である噴出路中心軸ａ７２は、小径孔部３３内の所定位置に配置される先端部７の先端面７ａに対して角度θ１で交差するように設けられている。角度θ１は鋭角である。混合流体噴出路７２は、混合路端７３ｂの空間と小径孔部３３内と連絡する連絡路である。
【００３８】
上述したように小径孔部３３の中心軸ａ３３が先端構成部中心軸ａ３０に対して位置ずれしている。このため、図３Ｄに示すように大径孔部３２と小径孔部３３との段差面３４にはマルチルーメンチューブ２０の薄肉部２４の先端面が配置される幅狭部３６と、該チューブ２０の厚肉部２５の先端面が配置される幅広部３７とが設けられる。
【００３９】
段差面３４の幅広部３７には該幅広部３７に開口を有する流体案内溝７４が設けられている。流体案内溝７４は、円弧形状の溝であって、予め定めた位置に第１終端部７４ａと第２終端部７４ｂとを備えている。具体的に、第１終端部７４ａと第２終端部７４ｂとは先端構成部３０の中心軸ａ３０に直交する第１軸ｙ３０を挟んで対称な位置関係である。
【００４０】
図４Ａの符号７３ｍは、混合流体噴出路入口（以下、流入口と記載する）である。流入口７３ｍの中心は、第１軸ｙ３０上に位置しており、混合路中心軸ａ７３は、第１軸ｙ３０に直交している。この結果、流体案内溝７４は、第１端部７４ａ側から流入口７３ｍに至る第１案内溝７４ｃと、第２端部７４ｂ側から流入口７３ｍに至る第２案内溝７４ｄと、を有する形態になっている。
【００４１】
なお、図４Ｂ矢印ＹＢは流体噴出方向である。流体噴出口７１からは気液混合流体あるいは空気が予め定めた流勢で偏向面８２に向かって噴出されるようになっている。混合流体噴出路７２は、第１軸ｙ３０に対して予め定めた角度傾けて形成されている。
【００４２】
上述した大径孔部３２内には図３Ｃの二点鎖線で示すようにマルチルーメンチューブ２０の先端部が固設される。図４Ａに示すようにマルチルーメンチューブ２０の先端部が大径孔部３２内に固設された状態において、マルチルーメンチューブ２０の先端面２６は、段差面３４に密着して配置される。マルチルーメンチューブ２０の薄肉部２４の先端面が段差面３４の幅狭部３６に固定され、該チューブ２０の厚肉部２５の先端面が段差面３４の幅広部３７に固定される。
【００４３】
この結果、幅広部３７に設けられた流体案内溝７４の開口は、マルチルーメンチューブ２０の先端面２６によって塞がれる。すると、流体案内溝７４の第１案内溝７４ｃは、第１流路７５となる一方、第２案内溝７４ｄは第２流路７６となる。
【００４４】
図４Ｂの破線に示すようにマルチルーメンチューブ２０の先端面２６に設けられた送気口２２ｍが第１流路７５中に配置され、送水口２３ｍが第２流路７６中に配置される。このことにより、送気口２２ｍから第１流路７５に空気が供給可能になり、送水口２３ｍから第２流路７６に水が供給可能になる。
【００４５】
ここで、図４Ａ、図４Ｂを参照して流体噴出ノズル７０および壁部８０を説明する。  
まず、流体噴出ノズル７０を説明する。  
図４Ａ、図４Ｂに示すように流体噴出ノズル７０は、流体噴出口７１、混合流体噴出路７２、気液混合路７３、第１流体路７５、第２流体路７６を備えている。
【００４６】
この構成によれば、制御弁操作ボタン４２を全押しすることによって、送気用孔２２に空気が供給され、送水用孔２３に水が供給される。送気用孔２２に供給された空気は、送気口２２ｍから第１流路７５に供給される。また、送水用孔２３に供給された水は、送水口２３ｍから第２流路７６に流れる。そして、第１流体路７５に流入した空気は、流入口７３ｍに向かって流れていく。一方、第２流体路７６に流入した水も流入口７３ｍに向かって流れていく。
【００４７】
この結果、流入口７３ｍで、第１流体路７５を流れる空気と、第２流体路７６を流れる水とが合流する。流入口７３は、水と空気との合流部であり、流入口７３において空気と水とは合流（衝突）して乱流となって混合されて噴霧状の気液混合流体となって気液混合路７３内に流入する。流入口７３ｍから流入した気液混合流体は、気液混合路７３の混合路端７３ｂに向かって流れ、混合流体噴出路７２に流入した後、流体噴出口７１から観察レンズ７表面を矢印ＹＢ方向に定められた流勢で噴出されるようになっている。
【００４８】
なお、制御弁操作ボタン４２が半押しされることによって、送気用孔２２に空気が供給される。その結果、上述したように、空気は、送気口２２ｍから第１流路７５に供給されて流入口７３ｍに向かって流れ、その後、流入口７３ｍから気液混合路７３を通過して混合流体噴出路７２に流入して流体噴出口７１から観察レンズ７表面を矢印ＹＢ方向に定められた流勢で噴出されるようになっている。
【００４９】
次に、壁部８０を説明する。  
図４Ｂに示すように壁部８０の内壁面８１に設けられた偏向面８２は、平面であって、矢印ＹＢで示した流体噴出方向に対して角度θ２で交差するように設定してある。偏向面８２は、流体衝突面であって、流体噴出口７１から矢印ＹＢ方向に予め定められた流勢で噴出されて衝突する流体の流れる方向を流勢を落とすこと無く予め定めた矢印ＹＢ１方向に偏向させる、なお、角度θ２は、９０度以上に設定される。
【００５０】
この構成によれば、流体噴出口７１から噴出される流体は、定められた流勢で矢印ＹＢ方向に流れた後、偏向面８２に衝突して流れる方向を矢印ＹＢ１方向に偏向されて勢いよく流れ続ける。
【００５１】
ここで、流体噴出ノズル７０および壁部８０の作用を説明する。  
上述したように内視鏡１の挿入部２の先端部７は、図１に示すように内視鏡取付部４０の挿入部導入口からマルチルーメンチューブ２０の内視鏡挿入部用孔２１内に挿入され、その後、内視鏡挿入部用孔２１内を通過して図５Ａ、図５Ｂに示すように先端構成部３０の小径孔部３３内に予め定めた状態で配置される。このことによって、内視鏡１の挿入部２全体が洗浄シース１０によって被覆される。
【００５２】
洗浄シース１０が被覆された挿入部２は、患者の体内に挿入され、表示装置の画面上に患部等を表示して、観察、処置が行われる。観察中、あるいは、処置中において、観察窓７ａに脂肪、体液、血液等が付着して視野が妨げられた場合、あるいは、照明レンズ７ｂ、７ｃに脂肪、体液、血液が付着して照度が低下した場合、ユーザは、レンズ洗浄を行う。
【００５３】
ユーザは、例えば制御弁操作ボタン４２を全押しして送気すると同時に送液する。すると、上述したように送気された空気は、送気用孔２２を介して第１流体路７５に供給され、送液された水は送水用孔２３を介して第２流体路７６に供給される。
【００５４】
この後、第１流体路７５から供給された空気と第２流体路７６から供給された水とが流入口７３ｍで合流して噴霧状の気液混合流体となって、流体噴出口７１から予め定められた流勢で噴出される。
【００５５】
このとき、気液混合流体は、衝流体噴出口７１から図５Ａの矢印Ｙ５Ａの方向に噴出されて観察窓７ａに吹き付けられる。そして、観察窓７ａに吹き付けられた気液混合流体は、洗浄空間Ｓ内の予め定めた領域を流れて予め定めた方向に位置する偏向面８２に向かっていく。つまり、気液混合流体は、図５Ｂの矢印ＹＢ方向に噴出角度θ３で拡がりつつ観察窓７ａの表面上を斜線（図６Ａ参照）に示すように偏向面８２に向かって流れる。
【００５６】
このことによって、図６Ａに示すように気液混合流体は、観察窓７ａの表面の一部であるクロスハッチングで示す第１領域Ａ１および照明レンズ７ｂの表面等を洗浄する。
【００５７】
第１領域Ａ１等を洗浄した気液混合流体は、偏向面８２に衝突した後、流れ方向が図６Ａ、６Ｂに示す矢印ＹＢ１方向に偏向され、図６Ｂの斜線に示す領域を内壁面８１に向かって流れていく。つまり、気液混合流体は、観察窓７ａの第１領域Ａ１とは異なる観察窓７ａの残りの領域である第２領域Ａ２を洗浄するために他の領域に向かって流れていく。
【００５８】
矢印ＹＢ１方向に偏向された気液混合流体は、内壁面８１に到達する。すると、気液混合流体は、図６Ｃの矢印ＹＢ２に示すように観察窓７ａの第２領域Ａ２の一部および照明レンズ７ｃの表面を含む斜線に示す領域を内壁面８１に沿って流れていく。このことによって、照明レンズ７ｃの表面が気液混合流体によって洗浄される。ここで、内壁面８１は、気液混合流体を矢印ＹＢ１方向から矢印ＹＢ２方向に偏向させる偏向面として機能している。
【００５９】
内壁面８１に沿って流れる気液混合流体は、流体噴出口７１から噴出されている気液混合流体に衝突する。すると、衝突した気液混合流体は、図６Ｄに示すように観察窓７ａの第１領域Ａ１とは異なるレンズ表面上の第２領域Ａ２を矢印ＹＢ３に示すように流れていく。そして、矢印ＹＢ３方向に偏向された気液混合流体は、上述した矢印ＹＢ１方向、矢印ＹＢ２方向に流れている気液混合流体に衝突して観察窓７ａの第２領域Ａ２中の斜線に示す領域を矢印ＹＢ４に示すように渦流となって流れる。
【００６０】
本実施形態において、観察窓７ａの第１領域Ａ１は、図７Ａに示すように内壁面８１に設けられた流体噴出口７１から矢印ＹＢ方向に所定の流勢で噴出される気液混合流体によって洗浄される。
【００６１】
一方、観察窓７ａの第１領域Ａ１とは異なる残りの領域である第２領域Ａ２は、流体噴出口７１から噴出されて内壁面８１に設けられた偏向面８２に衝突した後、矢印ＹＢ１方向、矢印ＹＢ２方向、矢印ＹＢ３方向、矢印ＹＢ４方向に流れる渦流に変化した気液混合流によって洗浄される。
【００６２】
このように、観察窓７ａ等が配設される先端部７の先端面７ｆの前面の周囲を壁部８０の内壁面８１で囲む。そして、内壁面８１の予め定めた位置に流体噴出口７１と偏向面８２とを設ける。加えて、流体噴出口７１から偏向面８２に向けて気液混合流体を噴出させる際の流勢および噴出角度を設定する。また、気液混合流体が衝突する偏向面８２の流体噴出方向ＹＢに対する交差角度（角度θ２）を９０度以上の予め定めた角度に設定する。
【００６３】
このことによって、流体噴出口７１から偏向面８２に向けて噴出された気液混合流体を洗浄用空間Ｓ内において予め定めた流勢の渦流にして、観察窓７ａおよび照明レンズ７ｂ、７ｃが備えられている先端部７の先端面７ｆ上を万遍なく流すことができる。
【００６４】
そして、観察窓７ａの表面の一部である第１領域Ａ１を流体噴出口７１から偏向面８２に向けて噴出される気液混合流体によって洗浄することができる。流体噴出口７１から噴出されて第１領域Ａ１を洗浄した気液混合流体の流勢を、偏向面８２に衝突した後、低下させること無く予め定めた方向に偏向することができる。加えて、予め定めた方向に偏向された気液混合流体を偏向面を兼用する内壁面８１に沿わせて流体噴出口７１から噴出されている気液混合流体に衝突させて、内壁面８１に沿って流れていた気液混合流体が渦流に変換して観察窓７ａの第１領域Ａ１の残りの部分である第２領域Ａ２に流して該第２領域Ａ２を洗浄することができる。
【００６５】
なお、流体噴出口７１から偏向面８２に向けて噴出される気液混合流体の流勢の違いによっては、偏向面８２に衝突した気液混合流体が、図７Ｂの矢印ＹＢ１方向から矢印ＹＢ５方向に流れて観察窓７ａの残りの領域Ａ２を洗浄する。言い換えれば、第１の領域Ａ１および第２の領域Ａ２は、洗浄用空間Ｓ内において気液混合流が矢印ＹＢ、矢印ＹＢ１、および、矢印ＹＢ５のように略Ｕ字状の渦流に変化することによっても洗浄することができる。
【００６６】
また、エネルギ処置具による処置中において、観察窓７ａに煙、ミストが付着して視野が妨げられことを防止する場合、あるいは、照明レンズ７ｂ、７ｃに煙、ミストが付着して照度が低下することを防止する場合、ユーザは、例えば制御弁操作ボタン４２を半押して、送気用孔２２に空気を供給する。
【００６７】
すると、空気が第１の領域Ａ１および第２の領域Ａ２に渦状に流れて観察窓７ａ、照明レンズ７ｂ、７ｃに煙、ミストが付着することを防止できる。
【００６８】
上述した実施形態において、内壁面８１に設ける偏向面８２を平面としている。加えて、内壁面８１を平滑面としている。このため、図８Ａの矢印Ｙ８Ａに示すように流体噴出口７１から噴出されて衝突する気液混合流体９０、あるいは、内壁面８１に沿って流れる気液混合流体９０が洗浄用空間Ｓ８内から矢印Ｙ８Ａ１に示すように内壁面８１を乗り越えて外部に流出するおそれがある。そして、気液混合流体９０が外部に流出することによって洗浄用空間Ｓ内において所望の水流を得て観察窓７ａ等の洗浄を行うことが困難になる。
【００６９】
図８Ｂに示すように本実施形態において、壁部８０の偏向面８２を含む内壁面８１の壁先端面８０ｆ側に周状凸部（以下、凸部と略記する）８３を設けている。第１凸部８３は、壁先端面８０ｆに面一致する先端面を有し予め定めた幅寸法であって小径孔部３３の中心軸（（不図示））方向に予め定めた量突出している。
【００７０】
この構成によれば、気液混合流体９０が外部に流出することを第１凸部８３によって防止することができる。この結果、第１凸部内空間８０ｓ１内において、気液混合流体９０が所望の水流を得られて観察窓７ａ等の洗浄を確実に行うことができる。
【００７１】
なお、上述した実施形態において、前述した実施形態（例えば図５Ａ等）と同部材には同符号を付してその説明を省略している。
【００７２】
また、気液混合流体９０が外部に流出することを防止する構成は上記第１凸部８３に限定されるものでは無く、図８Ｃ−図８Ｌに示す構成等であってもよい。そして、図８Ｃ−図８Ｌに示す構成において、同部材には同符号を付してその説明を省略する。
【００７３】
以下、図面を参照して気液混合流体９０が外部に流出することが防止する他の構成を説明する。  
図８Ｃに示すように第２凸部８４が気液混合流体９０の外部への流出を防止する、本実施形態において第２凸部８４は、壁部８０の偏向面８２を含む内壁面８１の中途に設けられている。符号８１ａは第２凸部８４の先端側に設けられた先端側周面８１ａ、符号８１ｂは観察窓７ａの表面側に設けられた基端側周面８１ｂである。基端側周面８１ｂは、先端側周面８１ａより深く設定してある。第２凸部内空間８０ｓ２は、基端側周面８１ｂを含む周溝によって構成される。
【００７４】
この構成によれば、第２凸部内空間８０ｓ２内において、気液混合流体９０が第２凸部８４によって外部に流出することが防止されて、所望の水流を得て観察窓７ａ等の洗浄を確実に行うことができる。
【００７５】
図８Ｄに示す第３凸部８５が気液混合流体９０の外部への流出を防止する。本実施形態において第３凸部８５は、壁部８０の偏向面８２を含む内壁面８１の中途に凹部８５ｃを設けて構成される。そして、第３凸部内空間８０ｓ３は、凹部８５ｃと基端側周面８１ｂを含む周溝によって構成される。  
凹部８５ｃの配置位置は、適宜設定されると共に、凹部８５ｃの幅寸法および深さも適宜設定される。
【００７６】
この構成によれば、第３凸部内空間８０ｓ３内において、気液混合流体９０が第３凸部８５によって外部に流出することが防止されて、所望の水流を得て観察窓７ａ等の洗浄を確実に行うことができる。
【００７７】
図８Ｅに示すように斜面としてテーパー面８６ｔを有する第４凸部８６を設けるようにしてもよい。第４凸部８６は、気液混合流体９０が外部へ流出することを防止する。該凸部８６の一部に設けたテーパー面８６ｔは、観察窓７ａの表面側から壁先端面８０ｆに向かって徐々に内径が小径になる。第４凸部内空間８０ｓ４は、テーパー面８６ｔを有する周溝によって構成される。テーパー面８６ｔのテーパー角は、適宜設定される。
【００７８】
この構成によれば、気液混合流体がテーパー面８６ｔに当たることによって該流体が観察窓７ａの表面側に向かう。このため、気液混合流体９０が第４凸部８６の外部に流出することが防止されて、所望の水流を得て観察窓７ａ等の洗浄を確実に行うことができる。
【００７９】
図８Ｆに示すように第１テーパー面８６ｔ１と第２テーパー面８６ｔ２とを有する第５凸部８６Ａを設けるようにしてもよい。第１テーパー面８６ｔ１は、観察窓７ａの表面側に位置している。
【００８０】
第１テーパー面８６ｔ１及び第２テーパー面８６ｔ２は、観察窓７ａの表面側から壁先端面８０ｆに向かって徐々に内径が小径になる。第１テーパー面８６ｔ１のテーパー角は、第２テーパー面８６ｔ２のテーパー角より大きく設定してある。気液混合流体９０が第１テーパー面８６ｔ１、あるいは、第２テーパー面８６ｔ２に当たることによって該流体が観察窓７ａの表面側に向かう。第５凸部８６Ａは、気液混合流体９０が外部へ流出することを防止する。第５凸部内空間８０ｓ５は、第１テーパー面８６ｔ１を主にした周溝によって構成される。第１テーパー面８６ｔ１のテーパー角および第２テーパー面８６ｔ２のテーパー角は、適宜設定される。  
この構成によれば、上述の第４凸部８６と同様の作用及び効果を得ることができる。
【００８１】
図８Ｇに示す第６凸部８７が気液混合流体９０の外部への流出を防止する。本実施形態において第６凸部８７は、第１テーパー面８７ｔ１と第２テーパー面８７ｔ２とを設けて構成される。第１テーパー面８７ｔ１は、観察窓７ａの表面側に位置しており、観察窓７ａの表面側から壁先端面８０ｆに向かって徐々に内径が大径になる。第２テーパー面８７ｔ２は、観察窓７ａの表面側から壁先端面８０ｆに向かって徐々に内径が小径になる。第６凸部内空間８０ｓ６は、第１テーパー面８７ｔ１と第２テーパー面８７ｔ２とを有する周溝によって構成される。第１テーパー面８７ｔ１のテーパー角および第２テーパー面８７ｔ２のテーパー角は、適宜設定される。
【００８２】
この構成によれば、気液混合流体９０が第１テーパー面８７ｔ１に当たることによって該流体は一度第２テーパー面８７ｔ２側に向かうが該第２テーパー面８７ｔ２に当たることによって観察窓７ａの表面側に向かう。なお、第２テーパー面８７ｔ２に当たった気液混合流体９０は、観察窓７ａの表面側に向かう。したがって、気液混合流体９０が第６凸部８７によって外部に流出することが防止されて、所望の水流を得て観察窓７ａ等の洗浄を確実に行うことができる。
【００８３】
なお、図８Ｂで示した第１凸部８３を、図８Ｈに示すようにテーパー面８３ｔを設けた第７凸部８３Ａとするようにしてもよい。テーパー面８３ｔは、観察窓７ａの表面側から壁先端面８０ｆに向かって徐々に内径が小径になり、そのテーパー角は適宜設定される。
【００８４】
この構成によれば、気液混合流体９０がテーパー面８３ｔに当たることによって観察窓７ａの表面側に向かう。この結果、気液混合流体９０が外部に流出することが第７凸部８３Ａによって防止されて、所望の水流を得て観察窓７ａ等の洗浄を確実に行うことができる。
【００８５】
また、図８Ｉに示す第８凸部８８を設けて気液混合流体９０の外部への流出を防止するようにしてもよい。第８凸部８８は、観察窓７ａの表面側から壁先端面８０ｆに向かって順にテーパー面８８ｔ、平面８８ｆ、段部８８ｓを備えている。テーパー面８８ｔは、観察窓７ａの表面側から壁先端面８０ｆに向かって徐々に内径が小径になり、そのテーパー角は適宜設定される。第８凸部内空間８０ｓ７は、テーパー面８８ｔと、平面８８ｆと、段部８８ｓの立上面８８ｓｆとを有する周溝によって構成される。
【００８６】
この構成によれば、気液混合流体９０がテーパー面８８ｔに当たることによって観察窓７ａの表面側に向かい、気液混合流体９０が立上面８８ｓｆに当たることによって観察窓７ａの表面側に向かう。この結果、気液混合流体９０が外部に流出することが第８凸部８８によって防止されて、所望の水流を得って観察窓７ａ等の洗浄を確実に行うことができる。
【００８７】
なお、図８Ｄで示した第３凸部８５を、図８Ｊに示すように凹部８５ｃにテーパー面８５ｃｔを設けて第９凸部８５Ａを構成するようにしてもよい。テーパー面８５ｃｔは、凹部８５ｃの底面側から小径孔部３３の中心軸方向に向かって内径が徐々に大径になる。
【００８８】
この構成によれば、気液混合流体９０が壁先端面８０ｆ側のテーパー面８５ｃｔに当たることによって観察窓７ａの表面側に向かう。この結果、気液混合流体９０が外部に流出することが第９凸部８５Ａによって防止されて、所望の水流を得て観察窓７ａ等の洗浄を確実に行うことができる。
【００８９】
また、図８Ｋに示すように内壁面８１面に凸部としての第１螺旋溝９１を設ける、あるいは、図８Ｌに示すように内壁面８１面に第１凸部８３に加えて新たな凸部としての第２螺旋溝９２を設けて気液混合流体９０の外部への流出を防止するようにしてもよい。なお、第１螺旋溝９１および第２螺旋溝９２は、気液混合流体９０が該溝９１、９２に沿って観察窓７ａの表面に向かって流れるように形成されている。また、図８Ｋに示した第１螺旋溝９１は台形ネジ形状であり、図８Ｌに示した第２螺旋溝９２はボールネジ形状である。
【００９０】
気液混合流体９０が第１螺旋溝９１内、あるいは、第２螺旋溝９２内に侵入することによって該気液混合流体９０が観察窓７ａの表面側に向かって流れる。この結果、図８Ｋに示す第１螺旋溝９１によって気液混合流体９０が外部に流出することを防止できる。一方、図８Ｌに示す実施形態においては、第２螺旋溝９２に加えて第１凸部８３を備えることによって、気液混合流体９０が外部に流出することをより確実に防止できる。  
これらの結果、所望の水流を得て観察窓７ａ等の洗浄を確実に行うことができる。
【００９１】
なお、本発明は、以上説明した各実施形態に限定されることなく、種々の変形や変更が可能である。
【００９２】
上述した実施形態においては、内視鏡１の挿入部２を被覆するマルチルーメンチューブ２０の先端部分に固設される先端構成部３０の内壁面８１に流体噴出口７１および偏向面８２を設けている。しかし、例えば内視鏡の先端部に装着可能な内視鏡フード、あるいは、洗浄ノズルを先端部に備える内視鏡の先端部本体に偏向面８２を有する内壁面８１を備える突出部を設けるようにしてもよい。
【００９３】
図示は省略するが内視鏡１の先端部７に装着可能な内視鏡フードに先端構成部３０と略同様な構成で渦流を発生させる偏向面８２および内壁面８１を設けるようにしてもよい。具体的に、内視鏡フードに先端部７の先端面７ｆから突出する突出部を設ける。その上で、突出部の内壁面に流体噴出口および偏向面を設ける。このことによって、上述した内視鏡用レンズ洗浄シースと同様の作用効果を得て先端部７の先端面に設けられた観察窓、照明レンズを渦流によって洗浄することができる。  
なお、この構成において、内視鏡フードに送気チューブの一端および送水チューブの一端を固定し、内視鏡フードから延出される送気チューブおよび送水チューブを挿入部２の外周面側に固定部材によって固定する。
【００９４】
また、洗浄ノズルが先端部を構成する先端部本体に設けられた内視鏡においては、その先端部の所定の位置に洗浄ノズルの流体噴出口から噴出された流体が衝突する偏向面及び渦流を形成する内壁面を有する本実施形態と略同様な構成の突出部を設ける。このことによって、大型化された観察レンズを渦流によって洗浄することができる。
【符号の説明】
【００９５】
１…内視鏡  ２…挿入部  ３…操作部  ４…ユニバーサルコード  ５…観察制御ユニット
６…表示装置  ７…先端部  ７ａ…観察窓  ７ｂ、７ｃ…照明レンズ  ８…湾曲部  ９…管部
１０…洗浄シース  ２０…マルチルーメンチューブ  ２１…内視鏡挿入部用孔  
２２…送気用孔  ２２ｍ…送気口  ２３…送水用孔  ２３ｍ…送水口  ２４…薄肉部  
２５…厚肉部  ３０…先端構成部  ３１…段付き孔  ３２…大径孔部  ３３…小径孔部
３４…段差面    ３６…幅狭部  ３７…幅広部  ４０…内視鏡取付部  ４１ｈ…連結穴  ７０…流体噴出ノズル  ７１…流体噴出口  ７２…混合流体噴出路  ７３…気液混合路  ７３ｍ…流入口  ７４…流体案内溝  ７４ａ…第１終端部  ７４ｂ…第２終端部  
７４ｃ…第１案内溝  ７４ｄ…第２案内溝  ７５…第１流路  ７６…第２流路  ８０…壁部  ８０ｆ…壁先端面  ８１…内壁面  ８１ａ…先端側周面  ８１ｂ…基端側周面  
８２…偏向面  ８３、８３Ａ、８４、８５、８５Ａ、８６、８６Ａ、８７８８…凸部  
８３ｔ、８５ｃｔ、８６ｔ、８８ｔ…テーパー面（斜面）  ９０…気液混合流体
【図１】
2018094016.tif 000003
【図２】
2018094016.tif 000004
【図３Ａ】
2018094016.tif 000005
【図３Ｂ】
2018094016.tif 000006
【図３Ｃ】
2018094016.tif 000007
【図３Ｄ】
2018094016.tif 000008
【図４Ａ】
2018094016.tif 000009
【図４Ｂ】
2018094016.tif 000010
【図５Ａ】
2018094016.tif 000011
【図５Ｂ】
2018094016.tif 000012
【図６Ａ】
2018094016.tif 000013
【図６Ｂ】
2018094016.tif 000014
【図６Ｃ】
2018094016.tif 000015
【図６Ｄ】
2018094016.tif 000016
【図７Ａ】
2018094016.tif 000017
【図７Ｂ】
2018094016.tif 000018
【図８Ａ】
2018094016.tif 000019
【図８Ｂ】
2018094016.tif 000020
【図８Ｃ】
2018094016.tif 000021
【図８Ｄ】
2018094016.tif 000022
【図８Ｅ】
2018094016.tif 000023
【図８Ｆ】
2018094016.tif 000024
【図８Ｇ】
2018094016.tif 000025
【図８Ｈ】
2018094016.tif 000026
【図８Ｉ】
2018094016.tif 000027
【図８Ｊ】
2018094016.tif 000028
【図８Ｋ】
2018094016.tif 000029
【図８Ｌ】
2018094016.tif 000030